(57)【要約】      （修正有）【課題】接続部材とガイド部材を嵌め込みの方式で連結し、カーテンを異なっている方向にゆっくりスクロール収納し、うまく引っ張ることを制御できる緩衝装置を提供する。【解決手段】カーテンを巻き閉める緩衝装置は、ガイド部材１０、固定カバー２０、移動部材３０、接続部材４０及び回転ブロックを含み、固定カバーが設けられたガイド部材のガイドロッド１１は移動部材と嵌め込んで連結して、移動部材の周縁部に対応するガイド槽部３４が設けられて、そして、接続部材のボール３５は上前記ガイド槽部によって異なっている方向の位置に回転又は係止することができて、固定カバーの多端の嵌合体におけるスクロール収納式の装置を回転させる時にカーテンを巻き閉める速度を有効に制御できる。【選択図】図１
0003119719.tif 000002
【実用新案登録請求の範囲】
【請求項１】
カーテンを巻き閉める緩衝装置であり、ガイド部材、固定カバー、移動部材及び接続部材を含み、
ガイド部材はその一端にガイドロッド、他端に凸円柱が設けられて、凸円柱は、ガイドロッド近傍の位置にパッドのトップ端が設けられて、その両端にそれぞれ円孔が形成され、固定カバーはガイド部材の外方に設けられて、ケーシング及びカバーを含み、ケーシングの一端は孔部であって、孔部の外部は、その一端の内部が中空状区間であって、他端の内上縁部には、対応する開口があって、その端部の内縁は、凹み環状面であって、上記カバーには外スリーブが形成して、外スリーブの中央に凸ロッドが突出形成されて、他端に嵌合体が設けられて、カバーの周縁部に対応する当接ブロックが突設されて、移動部材はガイド部材のガイドロッド一端に嵌挿されて、中央に長形孔が設けられて、両端にそれぞれ凸接ブロックが設けられて、その周縁部にそれぞれ係止端が設けられてその対応する左、右槽部は、相互に連接してガイド槽部となって、
接続部材は前記移動部材の外部に設けられて、その内部には中空空間が設けられて、周縁部に断面をかまぼこ形溝が設置されて、一端面に通孔が設けられて他端面に固定ブロックが嵌合されて、固定ブロック)の中心に穿孔が設けられて、一端に方形の凹孔が設けられて、他端に方形体が設けられることを特徴とする、カーテンを巻き閉める緩衝装置。
【請求項２】
請求項１記載のカーテンを巻き閉める緩衝装置において、前記ガイドロッドは方形を呈して、ガイドロッド近傍の底端には凸ロッドが設けられたパッドであることを特徴とする、カーテンを巻き閉める緩衝装置。
【請求項３】
請求項１記載のカーテンを巻き閉める緩衝装置において、前記凸円柱及び外スリーブの中空状区間の間に潤滑液体が注入されることを特徴とする、カーテンを巻き閉める緩衝装置。
【考案の詳細な説明】
【技術分野】
【０００１】
本考案は、カーテンを巻き閉める緩衝装置である。
【背景技術】
【０００２】
現在の市場に普通のカーテン装置は日差しを遮蔽しまたは装飾としてよく使用することが既にかなり普及している。しかしながら、カーテンの開け閉め方式については大体ロープを引っ張ってカーテンを開け閉めする。しかし、この種のカーテンは単にルーバ式のカーテンと左右方へ開け・閉めのカーテンに適用し、一枚式のカーテンには適用しない。しかし、ケーシング、スリーブ、外スリーブ、カバーと、回転ブロックとからなった一般的のカーテンの緩衝装置は、使用している時、様々な問題を生じる。
１．スリーブを取り替えるのは外容易ではない：スリーブの一端のスリーブの周縁部に槽部が形成され、外スリーブがスリーブ空間に嵌挿される場合にその内底端の凸ロッドがスリーブの中央軸ロッドの中心孔内に嵌め込み、且つ軸ロッド外部のパッドの一端の突出形成される当接ブロックを槽部内において伸び出し係止状を呈し、外スリーブが時計方向に回転する場合、パッドによって外方へ支えて空転状態を呈させ、カーテンが引っ張りの状態となって、またパッドが係止となって、同時、スリーブを連動して一緒に旋回し、カーテンのスクロール速度をゆっくりならせ、従って、上記カーテン装置は外スリーブを元の所定な方向に設置させているので、使用範囲が限定される。
２．使用者の開け、閉め方向を変わることに合わせることができない：カーテンを開け閉めする方向を提供できる場合に限られ、一般な人々は自分の家で使用者にて慣れた開け、閉めの方向を変わって組合せの施工作業を行うことができなくて、直接に開け、閉めする順、逆時計方向の回転を変わることが難しく、組立てを変わる時間もかかり、カーテンの組み合わせ作業に影響を与える。
【考案の開示】
【考案が解決しようとする課題】
【０００３】
本考案は上記の問題に対して、接続部材とガイド部材は嵌め込みの方式で連結してカーテンを異なっている方向にスクロール収納する速度をゆっくりならせること、うまく引っ張ることを制御できる緩衝装置の設計を改良して考案する。
【課題を解決するための手段】
【０００４】
上記の目的に対して、カーテンを巻き閉める緩衝装置は、ガイド部材、固定カバー、移動部材、接続部材及び回転ブロックを含み、固定カバーが設けられたガイド部材のガイドロッドは移動部材と嵌め込んで連結して、移動部材の周縁部に対応するガイド槽部が設けられて、そして、接続部材のボールは上前記ガイド槽部によって異なっている方向の位置に回転又は係止することができて、固定カバーの多端の嵌合体におけるスクロール収納式の装置を回転させる時にカーテンを巻き閉める速度を有効に制御できる。
【０００５】
請求項１の考案は、カーテンを巻き閉める緩衝装置であり、ガイド部材、固定カバー、移動部材及び接続部材を含み、
ガイド部材はその一端にガイドロッド、他端に凸円柱が設けられて、凸円柱は、ガイドロッド近傍の位置にパッドのトップ端が設けられて、その両端にそれぞれ円孔が形成され、固定カバーはガイド部材の外方に設けられて、ケーシング及びカバーを含み、ケーシングの一端は孔部であって、孔部の外部は、その一端の内部が中空状区間であって、他端の内上縁部には、対応する開口があって、その端部の内縁は、凹み環状面であって、上記カバーには外スリーブが形成して、外スリーブの中央に凸ロッドが突出形成されて、他端に嵌合体が設けられて、カバーの周縁部に対応する当接ブロックが突設されて、移動部材はガイド部材のガイドロッド一端に嵌挿されて、中央に長形孔が設けられて、両端にそれぞれ凸接ブロックが設けられて、その周縁部にそれぞれ係止端が設けられてその対応する左、右槽部は、相互に連接してガイド槽部となって、
接続部材は前記移動部材の外部に設けられて、その内部には中空空間が設けられて、周縁部に断面をかまぼこ形溝が設置されて、一端面に通孔が設けられて他端面に固定ブロックが嵌合されて、固定ブロック)の中心に穿孔が設けられて、一端に方形の凹孔が設けられて、他端に方形体が設けられることを特徴とする、カーテンを巻き閉める緩衝装置としている。
請求項２の考案は、請求項１記載のカーテンを巻き閉める緩衝装置において、前記ガイドロッドは方形を呈して、ガイドロッド近傍の底端には凸ロッドが設けられたパッドであることを特徴とする、カーテンを巻き閉める緩衝装置としている。
請求項３の考案は、請求項１記載のカーテンを巻き閉める緩衝装置において、前記凸円柱及び外スリーブの中空状区間の間に潤滑液体が注入されることを特徴とする、カーテンを巻き閉める緩衝装置としている。
【考案の効果】
【０００６】
本考案はガイド部材一端のガイドロッドに勝手に移動部材を変わらせる設計であって、使用者がカーテンの巻き閉める方向を取り替えることができる。
【０００７】
本考案の移動部材の周縁部に対応するガイド槽部が設けられて、そして、接続部材のボールは上前記ガイド槽部によって異なっている方向の位置に回転又は係止することができて、巻き閉める速度をゆっくりならせて、開ける速度を有効に制御できる。
【考案を実施するための最良の形態】
【０００８】
図１、２及び図３に示すように参考して、本カーテンを巻き閉める緩衝装置は、主にガイド部材10、固定カバー20、移動部材30、接続部材40及び回転ブロック50を含み、そのガイド部材10の一端に長形状を呈すガイドロッド11があって、ガイドロッド11近傍の位置にパッド111の凸ロッド110が設けられて、他端に凸円柱12であって、そして凸円柱12とガイドロッド11近傍の位置にパッド121のトップ端120が設けられて、その両端にそれぞれ円孔112、122が形成される。
【０００９】
上記固定カバー20は、ガイド部材10の外方に設けられて、ケーシング21及びカバー22を含み、ケーシング21の一端は孔部210であって、長形状のガイドロッド11がそれに嵌挿されて、孔部210外部一端の内部が中空状区間211であって、凸円柱12がそれに嵌挿されることで、凸円柱12及び中空状区間211の間に潤滑液体2110を注入させる。ケーシング21他端の内上縁部には、対応する開口212があって、その端部の内縁は、凹み環状面213であって、または、カバー22には凹み環状面213をあわせる外スリーブ220が形成され、そして、カバー22の周縁部にケーシング21の他端二つの開口212に対応する当接ブロック221が突設されて外スリーブ(220)の中央に凸ロッド222が突出形成されて、上記凸ロッド222は、ガイド部材10他端の凸円柱12の円孔122に嵌挿されて、カバー22の他端に引っ張り、スクロールする装置60(図６に示すよう)における嵌合体223が設けられる。
【００１０】
上記移動部材30は、ガイド部材10のガイドロッド11の一端に嵌挿して、その中央に長形状を呈すガイドロッド11の長形孔31が設けられて、両端にそれぞれ凸接ブロック32、33が設けられて、その周縁部に対応する左、右槽部340、341は、相互に連接してガイド槽部34となって、そして、その左、右槽部340、341に、それぞれ係止端3400、3410が設けられて、ボール35をガイド槽部34の左、右槽部340、341の経路により移動して、係止端3400、3410に係止する。
【００１１】
接続部材40の外観は、アルミ押出形材により変化になり、そして、前記移動部材30の外部に設置され、その内部には中空空間41が設けられて、中空空間41の周縁部にアーチ形の断面をかまぼこ形溝410が設置され、このアーチ形の断面をかまぼこ形溝410をボール35の移動経路として供する接続部材40の一端面に通孔42が設けられて、その通孔42に前記移動部材30の一端の凸接ブロック32は挿入されて、また、接続部材40の一端面外に固定ブロック43が締め付けられ、固定ブロック43の中央に穿孔430を設け、締め付け固定部材44を挿入して接続する。固定ブロック43の接続部材40の隣に、ガイド部材10一端のガイドロッド11を嵌め合うための方形の凹孔431が設けられ、他端面には方形体432が設けられている。
【００１２】
上記回転ブロック50一側の中央に前記固定ブロック43の他端面の方形体432に対応して嵌合する方形孔51が設けられる。
【００１３】
図３に示すような本考案の組合せを合わせて参照し、ガイド組立10の一端のガイドロッド11は、固定カバー20のケーシング21の中空状区間211を嵌挿して、他の1端の孔部210を通して、ガイド組立10における凸ロッド110のパッド111と他端における凸円柱12トップ端120のパッド121を介して、それぞれ中空状区間211と孔部210に係止されて、カバー22の外スリーブ220の中央凸ロッド222をガイド組立10他端の凸円柱12の円孔122に挿入させて、そして、カバー22外周縁の当接ブロック221はケーシング21他端の二つ開口212と嵌合して、凸円柱12と外スリーブ21の中空状区間211の間に潤滑液体2110が注入される液体の漏出を避けることができて、カバー22他端の嵌合体223を引っ張り、スクロールする装置60(図６に示すよう)組み合わせって、ガイド組立10一端のガイドロッド11に移動組立30が連接されて、移動組立30周縁部に対応する左、右槽部340、341は、相互に連接するガイド槽部34となって、その内にボール35が設けられて、ボール35の位置の内部の中空空間41にアーチ形をかまぼこ形溝410のケーシング組立40が設置されることで移動組立30外部に設けられて、そして前記ガイドロッド11端部は固定ブロック43の他端面の方形の凹孔431と嵌合して、固定部材44を固定ブロック43の穿孔430に挿入させてガイドロッド11端面の円孔112に挿して固定する。
【００１４】
図４に示すような実際操作使用時を合わせて参照し、上記緩衝装置は任意のカーテン装置に設置されて(図に示せず)、カーテンをスクロール収納する(図に示せず)時(順時計方向の回転)に、ボール35を移動組立30のガイド槽部34による左、右槽部340、341に作動して係止端3400、3410が係止する状態を形成して、移動組立30との連結する一端にガイドロッド11があるガイド組立10を連動して一緒に回転して、ガイドロッド11は順時計方向で回転する場合、凸円柱12外部の潤滑液体2110の阻止を受ける共にそれと逆方向の作用力が作用し、カーテンのスクロール速度をゆっくりならせる。
【００１５】
図５に示すように参考して、カーテンを巻回収納しようとする(図に示せず)場合(逆時計方向回転)、ボール35を移動組立30のガイド槽部34による左、右槽部340、341に作動して係止端3400、3410が係止する状態を形成しないことで空転する状態とならないで、凸円移動組立30との連結する一端にガイドロッド11があるガイド組立10を連動して一緒に回転しないことで、カーテンを引っ張りすることが楽にできる。
【００１６】
または、図７に示すように、本考案にかかるカーテン装置は異なる方向でスクロール又は収納する時、前記図４、５に示すような移動部材30左の方向を右の方向に変わることで、カーテンを巻き閉める(図に示せず)時(逆時計方向の回転)に、移動組立30のガイド槽部34上のボール35を左、右槽部340、341の係止端3400、3410による下方の方向に変換させ、かつ移動経路において、ボール35は係止端3400、3410で係止する状態を形成し、移動組立30とのと連結する一端にガイドロッド11があるガイド組立10を連動して一緒に回転して、ガイドロッド11は順時計方向で回転する場合、凸円柱12外部の潤滑液体2110の阻止を受ける共にそれと逆方向の作用力が作用し、カーテンのスクロール速度をゆっくりならせる。尚、図８に示すように参照して、カーテンを巻回収納しようとする(図に示せず)場合(逆時計方向回転)、ボール35を移動組立30のガイド槽部34による左、右槽部340、341に作動して係止端3400、3410が係止する状態を形成しないことで空転する状態とならないで、凸円移動組立30との連結する一端にガイドロッド11があるガイド組立10を連動して一緒に回転しないことで、カーテンの引っ張りのことが楽にできる。そのため、移動組立を取り外す後、別の方向に套入する時、使用者に自由に組み合わせって、カーテンを開け閉めすることができる。
【図面の簡単な説明】
【００１７】
【図１】本考案を示す立体分解図である。
【図２】本考案を示す立体組合せの外観図である。
【図３】本考案を示す組合せの断面図である。
【図４】本考案の使用状態を示す図である。(巻き閉める状態)
【図５】本考案の使用状態を示す図である。(開ける状態)
【図６】本考案の配置状態を示す図である。
【図７】本考案におけるほかの使用状態を示す図である。(巻き閉める状態)
【図８】本考案におけるほかの使用状態を示す図である。(開ける状態)
【符号の説明】
【００１８】
10  ガイド部材
20  固定カバー
30  移動部材
40  接続部材
50  回転ブロック
11  ガイドロッド
110  凸ロッド
12  凸円柱
120  トップ端
21  ケーシング
22  カバー
210  孔部
211  中空状区間
2110  潤滑液体
212  開口
213  凹み環状面
220  外スリーブ
221  ブロック
222  凸ロッド
60  スクロールする装置
223  嵌合体
31  長形孔
34  ガイド槽部
35  ボール
41  中空空間
410  かまぼこ形溝
42  通孔
43  固定ブロック
430  穿孔
44  固定部材
431  方形の凹孔
432  方形体
51  方形孔
111、121  パッド
112、122  円孔
32、33    凸接ブロック
340、341  右槽部
3400、3410  係止端
【図１】
0003119719.tif 000003
【図２】
0003119719.tif 000004
【図３】
0003119719.tif 000005
【図４】
0003119719.tif 000006
【図５】
0003119719.tif 000007
【図６】
0003119719.tif 000008
【図７】
0003119719.tif 000009
【図８】
0003119719.tif 000010